(57)【要約】【課題】  この発明は、ジャム解除作業を行う際において、ユーザが誤った操作を行っても、直ちにそのことをユーザが認識できるようになり、作業効率を向上化させることができるようになる画像形成装置を提供することを目的とする。【解決手段】  ジャム発生時にジャム解除のための作業手順を示すガイダンスを表示器に表示させる第１手段、およびジャムが発生しているときに、機械状態の変化に応じて、了解音または警告音を発生させる第２手段を備えており、第２手段は、機械状態が変化した場合に、その機械状態の変化に基づいてジャム解除作業手順に従った操作が行われたか否かを判別し、ジャム解除作業手順に従った操作が行われた場合には、了解音を発生させ、ジャム解除作業手順と異なった操作が行われた場合には、警告音を発生させるものである。【選択図】  図３
2005156908.tif 000002
【特許請求の範囲】
【請求項１】
ジャム発生時にジャム解除のための作業手順を示すガイダンスを表示器に表示させる第１手段、および
ジャムが発生しているときに、機械状態の変化に応じて、了解音または警告音を発生させる第２手段を備えており、
第２手段は、機械状態が変化した場合に、その機械状態の変化に基づいてジャム解除作業手順に従った操作が行われたか否かを判別し、ジャム解除作業手順に従った操作が行われた場合には、了解音を発生させ、ジャム解除作業手順と異なった操作が行われた場合には、警告音を発生させるものであることを特徴とする画像形成装置。
【請求項２】
ユニット交換時にユニット交換作業の手順を示すガイダンスを表示器に表示させる第１手段、および
ユニット交換時に、機械状態の変化に応じて、了解音または警告音を発生させる第２手段を備えており、
第２手段は、機械状態が変化した場合に、その機械状態の変化に基づいてユニット交換作業手順に従った操作が行われたか否かを判別し、ユニット交換作業手順に従った操作が行われた場合には、了解音を発生させ、ユニット交換作業手順と異なった操作が行われた場合には、警告音を発生させるものであることを特徴とする画像形成装置。
【発明の詳細な説明】
【技術分野】
【０００１】
この発明は、複写機、プリンタ、ＦＡＸ、それらの複数の機能を備えた複合機等の画像形成装置に関する。
【背景技術】
【０００２】
複写機能、プリンタ機能、ＦＡＸ機能等を備えた複合機では、一般的に、ジャム等が発生した場合にジャム解除作業をユーザに行わす際には、その作業手順を示すガイダンスを表示器に表示させている（特開２００２−１８７３３２号公報参照）。また、上記ガイダンスを表示器に表示する前に、ガイダンスに表示される手順を遵守することを求める警告画面を表示するものも提案されている。
【０００３】
しかしながら、上記従来技術では、ジャム解除作業を行う際には、ユーザは表示器に表示されたガイダンスを確認しつつ、作業を行うことになるが、ガイダンスと作業箇所とを同時に見ることはできないため、間違った操作を行ってしまうことがある。このような場合に、間違った操作を行ったか否かは、ガイタンス画面を再度見なければ、確認することができないので、間違った操作を行ってもそのことに気がつきにくいという問題がある。
【特許文献１】特開２００２−１８７３３２号公報
【発明の開示】
【発明が解決しようとする課題】
【０００４】
この発明は、ジャム解除作業またはユニット交換作業を行う際において、ユーザが誤った操作を行っても、直ちにそのことをユーザが認識できるようになり、作業効率を向上化させることができるようになる画像形成装置を提供することを目的とする。
【課題を解決するための手段】
【０００５】
請求項１に記載の発明は、ジャム発生時にジャム解除のための作業手順を示すガイダンスを表示器に表示させる第１手段、およびジャムが発生しているときに、機械状態の変化に応じて、了解音または警告音を発生させる第２手段を備えており、第２手段は、機械状態が変化した場合に、その機械状態の変化に基づいてジャム解除作業手順に従った操作が行われたか否かを判別し、ジャム解除作業手順に従った操作が行われた場合には、了解音を発生させ、ジャム解除作業手順と異なった操作が行われた場合には、警告音を発生させるものであることを特徴とする。
【０００６】
請求項２に記載の発明は、ユニット交換時にユニット交換作業の手順を示すガイダンスを表示器に表示させる第１手段、およびユニット交換時に、機械状態の変化に応じて、了解音または警告音を発生させる第２手段を備えており、第２手段は、機械状態が変化した場合に、その機械状態の変化に基づいてユニット交換作業手順に従った操作が行われたか否かを判別し、ユニット交換作業手順に従った操作が行われた場合には、了解音を発生させ、ユニット交換作業手順と異なった操作が行われた場合には、警告音を発生させるものであることを特徴とする。
【発明の効果】
【０００７】
この発明によれば、ジャム解除作業またはユニット交換作業を行う際において、ユーザが誤った操作を行っても、直ちにそのことをユーザが認識できるようになり、作業効率を向上化させることができるようになる。
【発明を実施するための最良の形態】
【０００８】
以下、図面を参照して、この発明の実施例について説明する。
【実施例１】
【０００９】
図１は、画像形成装置内のジャム処理に関係する部分の構成を示している。
【００１０】
１０は、操作パネルであり、表示器（ＬＣＤ）１１、スピーカ１２等を備えている。２０は、機械の状態を監視する機械状態監視部である。機械状態監視部２０には、前カバー、左カバー、右カバー等の各カバーの開閉状態を検知するカバー開閉状態検知回路３１、各種給紙カセットの開閉状態を検知するカセット開閉状態検知回路３２、搬送ユニット解除レバー、定着ユニット解除レバー等の解除レバーの操作状態を検知するユニット解除レバー状態検知回路３３、ジャム発生箇所を含むジャム検知またはジャム解除を検知するためのジャム検知回路３４等からの検知信号が送られる。
【００１１】
機械状態監視部２０は、ジャム発生時には、操作パネル１０の表示器１１に、例えば、図２に示すように、ジャム解除作業（装置復旧作業）の手順を示すガイダンスを表示させる。また、機械状態監視部２０は、ジャム解除作業時に、機械状態の変化に応じて、操作パネル１０のスピーカ１２から了解音または警告音を発生させる。つまり、機械状態が変化した場合には、その機械状態の変化に基づいて作業手順に従った操作が行われたか否かを判別し、作業手順に従った操作が行われた場合には、スピーカ１２から了解音を発生させ、作業手順と異なった操作が行われた場合には、スピーカ１２から警告音を発生させる。
【００１２】
図３および図４は、ジャムが発生した場合の機械状態監視部２０の動作の一例を示している。
【００１３】
まず、ジャム解除のための作業手順を示すガイダンスを操作パネル１０の表示器１１に表示させる（ステップＳ１）。ここでは、図２に示すようなガイダンスが表示されたとする。この場合のジャム解除作業の手順は次の通りである。
（１）本体右カバーを開け、用紙があれば取り除く。
（２）上から４段目のカセットを引き出す。
（３）用紙を取り除く。
（４）上から４段目のカセットをセットし、本体右カバーを閉じる。
【００１４】
次に、機械状態監視部２０は、機械の状態が変化するのを待機する（ステップＳ２）。機械の状態が変化した場合には、その機械状態の変化に基づいて、本体右カバーが開けられたか否かを判別する（ステップＳ３）。本体右カバーが開けられなかった場合には、誤った操作が行われたと判断し、警告音を発生させた後（ステップＳ４）、ステップＳ２に戻る。
【００１５】
ステップＳ３において、本体右カバーが開けられたと判別した場合には、作業手順に従った操作が行われたと判断し、了解音を発生させた後（ステップＳ５）、ステップＳ６に移行する。
【００１６】
ステップＳ６では、機械の状態が変化するのを待機する。機械の状態が変化した場合には、その機械状態の変化に基づいて、上から４段目のカセットが引き出されたか否かを判別する（ステップＳ７）。上から４段目のカセットが引き出されなかった場合には、誤った操作が行われたと判断し、警告音を発生させた後（ステップＳ８）、ステップＳ６に戻る。
【００１７】
ステップＳ７において、上から４段目のカセットが引き出されたと判別した場合には、作業手順に従った操作が行われたと判断し、了解音を発生させた後（ステップＳ９）、ステップＳ１０に移行する。
【００１８】
ステップＳ１０では、機械の状態が変化するのを待機する。機械の状態が変化した場合には、その機械状態の変化に基づいて、上から４段目のカセットがセットされたか否かを判別する（ステップＳ１１）。上から４段目のカセットがセットされなかった場合には、誤った操作が行われたと判断し、警告音を発生させた後（ステップＳ１２）、ステップＳ１０に戻る。
【００１９】
ステップＳ１１において、上から４段目のカセットがセットされたと判別した場合には、作業手順に従った操作が行われたと判断し、了解音を発生させた後（ステップＳ１３）、ステップＳ１４に移行する。
【００２０】
ステップＳ１４では、機械の状態が変化するのを待機する。機械の状態が変化した場合には、その機械状態の変化に基づいて、本体右カバーが閉じられたか否かを判別する（ステップＳ１５）。本体右カバーが閉じられなかった場合には、誤った操作が行われたと判断し、警告音を発生させた後（ステップＳ１６）、ステップＳ１４に戻る。
【００２１】
ステップＳ１５において、本体右カバーが閉じられたと判別した場合には、作業手順に従った操作が行われたと判断し、了解音を発生させた後（ステップＳ１７）、ステップＳ１８に移行する。
【００２２】
ステップＳ１８では、ジャムが解除されているか否かを判別する。ジャムが解除されている場合には、表示器１１上のガイダンス表示を消去する（ステップＳ１９）。
【００２３】
なお、この発明は、感光体ユニット等の交換作業（特にユーザが行うユニット交換作業）を行う際にも適用することができる。例えば、感光体ユニットを交換する場合について説明する。画像形成装置には、感光体ユニットの交換作業手順を示すデータおよびその交換作業手順をガイダンス表示するためのデータが格納されている。また、画像形成装置には、ユーザが感光体ユニットの交換作業を行う際に、そのことをユーザに入力させるための入力手段が設けられている。
【００２４】
感光体ユニットの交換作業を行う旨がユーザによって入力されると、画像形成装置は、感光体ユニットの交換作業の手順を示すガイダンスを表示器に表示させる。また、画像形成装置は、感光体ユニットの交換作業を行う旨がユーザによって入力された場合には、機械状態の変化を監視し、機械状態が変化した場合には、その機械状態の変化に基づいて当該交換作業手順に従った操作が行われたか否かを判別し、当該交換作業手順に従った操作が行われた場合には、了解音を発生させ、当該交換作業手順と異なった操作が行われた場合には、警告音を発生させる。
【図面の簡単な説明】
【００２５】
【図１】画像形成装置内のジャム処理に関係する部分の構成を示すブロック図である。
【図２】ジャム解除作業（装置復旧作業）の手順を示すガイダンス画面の一例を示す模式図である。
【図３】ジャムが発生した場合の機械状態監視部２０の動作の一例を示すフローチャートである。
【図４】ジャムが発生した場合の機械状態監視部２０の動作の一例を示すフローチャートである。
【符号の説明】
【００２６】
１０  操作パネル
１１  表示器（ＬＣＤ）
１２  スピーカ
２０  機械状態監視部
３１  カバー開閉状態検知回路
３２  カセット開閉状態検知回路
３３  ユニット解除レバー状態検知回路
３４  ジャム検知回路
【図１】
2005156908.tif 000003
【図２】
2005156908.tif 000004
【図３】
2005156908.tif 000005
【図４】
2005156908.tif 000006